(57)【要約】【課題】本発明はマルチ用途の塗布器に関する。【解決手段】液体を装填した複数個の密封空間として仕切られた長軸形外殻と、一つ一つの密封仕切り空間に近いところに刻み線を形成し、この刻み線によって選択的に長軸形外殻をより短い一節として分断し、長軸形外殻から切り離すことの出来る塗布先端部とからなる。前記長軸形外殻の切り離された一節を、長軸形外殻の中に装填された液体又は糊状物資の塗布に使用し、且つ塗布後に捨て去り、残りの塗布器先端部及び液体を含んだ未使用の長軸形外殻は、以後の使用に備えて保留する。
2006507942.tif 000002
【特許請求の範囲】
【請求項１】
縦長方向に沿って複数個の密封仕切り空間に仕切られた長軸形外殻と、
前記密封仕切り空間の仕切り部毎に設け、密封仕切り空間をそれぞれ打開して分断することの出来る打開手段と、を含み、
前記長軸形外殻は、前記打開手段の所で選択的により短い一節として分断出来ることを特徴とする、
マルチ用途の塗布器。
【請求項２】
前記長軸形外殻の端部に保持器を設け、
前記保持器には長軸形中空管又は長軸形構成部品を含み、その一端に前記長軸形外殻の分断された一節を保持するための一個又は複数個の穴を備えて塗布しやすいようにしたことを特徴とする、
請求項１に記載の、マルチ用途の塗布器。
【請求項３】
前記打開手段は、刻み線であり、前記長軸形外殻を折曲げると、前記密封仕切り空間を刻み線の所で分断することが出来るようにしたことを特徴とする、
請求項１に記載の、マルチ用途の塗布器。
【請求項４】
前記一個又は複数個の密封仕切り空間の中に、液体又は糊状物質を封じこんだことを特徴とする、
請求項１に記載の、マルチ用途の塗布器。
【請求項５】
前記長軸形外殻には、最後の密封仕切り空間をユーザーが摘んで一層容易に分断できるように延伸して設けたツマミ部を備えることを特徴とする、
請求項１に記載の、マルチ用途の塗布器。
【請求項６】
前記一個又は複数個の密封仕切り空間には液体又は糊状物質を封じたことを特徴とする、
請求項３に記載の、マルチ用途の塗布器。
【請求項７】
前記長軸形外殻は、最後の密封仕切り空間をユーザーが摘んで一層容易に分断できるように延伸して設けたツマミ部を備えたことを特徴とする、
請求項３に記載の、マルチ用途の塗布器。
【請求項８】
前記長軸形外殻は、最後の密封仕切り空間をユーザーが摘んで一層容易に分断できるように延伸して設けたツマミ部を備えたことを特徴とする、
請求項４に記載の、マルチ用途の塗布器。
【請求項９】
縦長方向に沿って複数個の密封仕切り空間に仕切られた長軸形外殻と、
長軸形構成部品を含む一個又は複数個の密封仕切り空間と、
前記密封仕切り空間の仕切り部毎に設けられ、密封仕切り空間をそれぞれ打開して分断することの出来る打開手段と、を含み、
前記長軸形構成部品は、フリーエンド側及び前記密封仕切り空間端部まで固定された他方の端部を備え、
前記長軸形外殻は、打開手段の所で選択的により短い一節に分断することの出来ることを特徴とする、
マルチ用途の塗布器。
【請求項１０】
前記長軸形外殻の端部には、長軸の中空管又は長軸形構成部品を含む保持器を設け、
その一端に一個又は複数個の穴を備え、塗布しやすいように、長軸形外殻の分断された一節を保持できるようにしたことを特徴とする、
請求項９に記載の、マルチ用途の塗布器。
【請求項１１】
前記打開手段は、刻み線であってよく、前記長軸形外殻を折曲げると、前記密封仕切り空間が前記刻み線の所で分断できるようにしたことを特徴とする、
請求項９に記載の、マルチ用途の塗布器。
【請求項１２】
前記一個又は複数個の密封仕切り空間は、液体又は糊状物質を封じこんだことを特徴とする、
請求項９に記載の、マルチ用途の塗布器。
【請求項１３】
前記長軸形外殻には、最後の密封仕切り空間をユーザーが摘んで一層容易に分断できるように延伸して設けたツマミ部を備えたことを特徴とする、
請求項９に記載の、マルチ用途の塗布器。
【請求項１４】
前記一個又は複数個の密封仕切り空間は、液体又は糊状物質を封じこんだことを特徴とする、
請求項１１に記載の、マルチ用途の塗布器。
【請求項１５】
前記長軸形外殻には、最後の密封仕切り空間をユーザーが摘んで一層容易に分断できるように延伸して設けたツマミ部を備えたことを特徴とする、
請求項１１に記載の、マルチ用途の塗布器。
【請求項１６】
前記長軸形外殻には、最後の密封仕切り空間をユーザーが摘んで一層容易に分断できるように延伸して設けたツマミ部を備えたことを特徴とする、
請求項１２に記載の、マルチ用途の塗布器。
【請求項１７】
縦長方向に沿って複数個の密封仕切り空間に仕切られた長軸形外殻と、
長軸形構成部品を含む一個又は複数個の密封仕切り空間と、
前記密封仕切り空間の仕切り部にそれぞれ設け、密封仕切り空間をそれぞれ打開して分断できる打開手段と、を含み、
前記長軸形構成部品は、フリーエンド側及び前記密封仕切り空間端部まで固定された他方の端部を備え、
前記長軸形外殻は、打開手段の所で選択的により短い節に分断することの出来ることを特徴とする、
マルチ用途の塗布器。
【請求項１８】
前記長軸形外殻の端部には、長軸の中空管又は長軸形構成部品を含む保持器を設け、その一端に一個又は複数個の穴を備え、塗布しやすいように、長軸形外殻の分断された一節を保持出来るようにしたことを特徴とする、
請求項１７に記載の、マルチ用途の塗布器。
【請求項１９】
前記打開手段は、刻み線であってよく、前記長軸形外殻を折曲げると、前記密封仕切り空間が前記刻み線の所で分断できるようにしたことを特徴とする、
請求項１７に記載の、マルチ用途の塗布器。
【請求項２０】
前記一個又は複数個の密封仕切り空間には、液体又は糊状物質を封じこんだことを特徴とする、
請求項１７に記載の、マルチ用途の塗布器。
【請求項２１】
前記長軸形外殻には、最後の密封仕切り空間をユーザーが摘んで一層容易に分断できるように延伸して設けたツマミ部を備えたことを特徴とする、
請求項１７に記載の、マルチ用途の塗布器。
【請求項２２】
前記一個又は複数個の密封仕切り空間には、液体又は糊状物質を封じこんだことを特徴とする、
請求項１９に記載の、マルチ用途の塗布器。
【請求項２３】
前記長軸形外殻には、最後の密封仕切り空間をユーザーが摘んで一層容易に分断できるように延伸して設けたツマミ部を備えたことを特徴とする、
請求項１９に記載の、マルチ用途の塗布器。
【請求項２４】
前記長軸形外殻には、最後の密封仕切り空間をユーザーが摘んで一層容易に分断できるように延伸して設けたツマミ部を備えたことを特徴とする、
請求項２０に記載の、マルチ用途の塗布器。
【発明の詳細な説明】
【技術分野】
【０００１】
本発明は、一回に一個ずつ切り離して使用出来るマルチ用途塗布器の密封容器に関するものである。
【背景技術】
【０００２】
綿棒のような塗布器は、通常薬品・麻酔薬・アルコール及びその他各種の液体や例えばクリームのような糊状物質を塗布する用途に使われる。
薬品塗布器は、通常管状ツマミの一端又は両端に形成された吸収剤を含む先端部を備えている。
前記吸収剤先端部は、綿又は発泡体吸収剤などの材料によって作られる。前記先端部は、ブラシであってもよい。
前記管状ツマミは、木材・紙又はプラスチックで作られ、且つソリッド体又は中空体であってもよい。
通常、乾いた綿球塗布器の塗布器先端部を、先ず塗布すべき液体と接触させて、前記塗布器の先端部に前記液体を吸収させる。
次に、湿潤した塗布器先端部を所定の表面に接触させることによって、吸収した液体を前記表面上に塗布する。
このほか、前記綿球塗布器は、液体や糊状物質、例えば、クリームで予め湿潤させてから容器の中に密封し、後の使用に備えることも出来る。
通常、予め湿潤させた綿球塗布器は、個別に包装され、パッケージを開けて綿球塗布器を取り出す時、残りの綿球塗布器に影響しないようになっている。
【発明の開示】
【発明が解決しようとする課題】
【０００３】
本発明の目的は、長軸形外殻を幾つかの密閉した空間に仕切って異なる物質又は同じ物質を入れ、多方面に使用できるマルチ用途の塗布器を提供する事にある。
【０００４】
本発明のもう一つの目的は、使いやすく、携帯に便利で、操作が簡単など多様な長所を備えたマルチ用途の塗布器を提供することにある。
【課題を解決するための手段】
【０００５】
上記のような課題を解決するために、本願の第１発明に係るマルチ用途の塗布器は、縦長方向に沿って複数個の密封仕切り空間に仕切られた長軸形外殻と、前記密封仕切り空間の仕切り部毎に設け、密封仕切り空間をそれぞれ打開して分断することの出来る打開手段と、を含み、前記長軸形外殻は、前記打開手段の所で選択的により短い一節として分断出来ることを特徴とするものである。
【０００６】
本願の第２発明に係るマルチ用途の塗布器は、第１発明に記載のマルチ用途の塗布器であって、前記長軸形外殻の端部に保持器を設け、前記保持器には長軸形中空管又は長軸形構成部品を含み、その一端に前記長軸形外殻の分断された一節を保持するための一個又は複数個の穴を備えて塗布しやすいようにしたことを特徴とするものである。
【０００７】
本願の第３発明に係るマルチ用途の塗布器は、第１発明に記載のマルチ用途の塗布器であって、前記打開手段は、刻み線であり、前記長軸形外殻を折曲げると、前記密封仕切り空間を刻み線の所で分断することが出来るようにしたことを特徴とするものである。
【０００８】
本願の第４発明に係るマルチ用途の塗布器は、第１発明に記載のマルチ用途の塗布器であって、前記一個又は複数個の密封仕切り空間の中に、液体又は糊状物質を封じこんだことを特徴とするものである。
【０００９】
本願の第５発明に係るマルチ用途の塗布器は、第１発明に記載のマルチ用途の塗布器であって、前記長軸形外殻には、最後の密封仕切り空間をユーザーが摘んで一層容易に分断できるように延伸して設けたツマミ部を備えることを特徴とするものである。
【００１０】
本願の第６発明に係るマルチ用途の塗布器は、第３発明に記載のマルチ用途の塗布器であって、前記一個又は複数個の密封仕切り空間には液体又は糊状物質を封じたことを特徴とするものである。
【００１１】
本願の第７発明に係るマルチ用途の塗布器は、第３発明に記載のマルチ用途の塗布器であって、前記長軸形外殻は、最後の密封仕切り空間をユーザーが摘んで一層容易に分断できるように延伸して設けたツマミ部を備えたことを特徴とするものである。
【００１２】
本願の第８発明に係るマルチ用途の塗布器は、第４発明に記載のマルチ用途の塗布器であって、前記長軸形外殻は、最後の密封仕切り空間をユーザーが摘んで一層容易に分断できるように延伸して設けたツマミ部を備えたことを特徴とするものである。
【００１３】
本願の第９発明に係るマルチ用途の塗布器は、縦長方向に沿って複数個の密封仕切り空間に仕切られた長軸形外殻と、長軸形構成部品を含む一個又は複数個の密封仕切り空間と、前記密封仕切り空間の仕切り部毎に設けられ、密封仕切り空間をそれぞれ打開して分断することの出来る打開手段と、を含み、前記長軸形構成部品は、フリーエンド側及び前記密封仕切り空間端部まで固定された他方の端部を備え、前記長軸形外殻は、打開手段の所で選択的により短い一節に分断することの出来ることを特徴とするものである。
【００１４】
本願の第１０発明に係るマルチ用途の塗布器は、第９発明に記載のマルチ用途の塗布器であって、前記長軸形外殻の端部には、長軸の中空管又は長軸形構成部品を含む保持器を設け、その一端に一個又は複数個の穴を備え、塗布しやすいように、長軸形外殻の分断された一節を保持できるようにしたことを特徴とするものである。
【００１５】
本願の第１１発明に係るマルチ用途の塗布器は、第９発明に記載のマルチ用途の塗布器であって、前記打開手段は、刻み線であってよく、前記長軸形外殻を折曲げると、前記密封仕切り空間が前記刻み線の所で分断できるようにしたことを特徴とするものである。
【００１６】
本願の第１２発明に係るマルチ用途の塗布器は、第９発明に記載のマルチ用途の塗布器であって、前記一個又は複数個の密封仕切り空間は、液体又は糊状物質を封じこんだことを特徴とするものである。
【００１７】
本願の第１３発明に係るマルチ用途の塗布器は、第９発明に記載のマルチ用途の塗布器であって、前記長軸形外殻には、最後の密封仕切り空間をユーザーが摘んで一層容易に分断できるように延伸して設けたツマミ部を備えたことを特徴とするものである。
【００１８】
本願の第１４発明に係るマルチ用途の塗布器は、第１１発明に記載のマルチ用途の塗布器であって、前記一個又は複数個の密封仕切り空間は、液体又は糊状物質を封じこんだことを特徴とするものである。
【００１９】
本願の第１５発明に係るマルチ用途の塗布器は、第１１発明に記載のマルチ用途の塗布器であって、前記長軸形外殻には、最後の密封仕切り空間をユーザーが摘んで一層容易に分断できるように延伸して設けたツマミ部を備えたことを特徴とするものである。
【００２０】
本願の第１６発明に係るマルチ用途の塗布器は、第１２発明に記載のマルチ用途の塗布器であって、前記長軸形外殻には、最後の密封仕切り空間をユーザーが摘んで一層容易に分断できるように延伸して設けたツマミ部を備えたことを特徴とするものである。
【００２１】
本願の第１７発明に係るマルチ用途の塗布器は、縦長方向に沿って複数個の密封仕切り空間に仕切られた長軸形外殻と、長軸形構成部品を含む一個又は複数個の密封仕切り空間と、前記密封仕切り空間の仕切り部にそれぞれ設け、密封仕切り空間をそれぞれ打開して分断できる打開手段と、を含み、前記長軸形構成部品は、フリーエンド側及び前記密封仕切り空間端部まで固定された他方の端部を備え、
前記長軸形外殻は、打開手段の所で選択的により短い節に分断することの出来ることを特徴とするものである。
【００２２】
本願の第１８発明に係るマルチ用途の塗布器は、第１７発明に記載のマルチ用途の塗布器であって、前記長軸形外殻の端部には、長軸の中空管又は長軸形構成部品を含む保持器を設け、その一端に一個又は複数個の穴を備え、塗布しやすいように、長軸形外殻の分断された一節を保持出来るようにしたことを特徴とするものである。
【００２３】
本願の第１９発明に係るマルチ用途の塗布器は、第１７発明に記載のマルチ用途の塗布器であって、前記打開手段は、刻み線であってよく、前記長軸形外殻を折曲げると、前記密封仕切り空間が前記刻み線の所で分断できるようにしたことを特徴とするものである。
【００２４】
本願の第２０発明に係るマルチ用途の塗布器は、第１７発明に記載のマルチ用途の塗布器であって、前記一個又は複数個の密封仕切り空間には、液体又は糊状物質を封じこんだことを特徴とするものである。
【００２５】
本願の第２１発明に係るマルチ用途の塗布器は、第１７発明に記載のマルチ用途の塗布器であって、前記長軸形外殻には、最後の密封仕切り空間をユーザーが摘んで一層容易に分断できるように延伸して設けたツマミ部を備えたことを特徴とするものである。
【００２６】
本願の第２２発明に係るマルチ用途の塗布器は、第１９発明に記載のマルチ用途の塗布器であって、前記一個又は複数個の密封仕切り空間には、液体又は糊状物質を封じこんだことを特徴とするものである。
【００２７】
本願の第２３発明に係るマルチ用途の塗布器は、第１９発明に記載のマルチ用途の塗布器であって、前記長軸形外殻には、最後の密封仕切り空間をユーザーが摘んで一層容易に分断できるように延伸して設けたツマミ部を備えたことを特徴とするものである。
【００２８】
本願の第２４発明に係るマルチ用途の塗布器は、第２０発明に記載のマルチ用途の塗布器であって、前記長軸形外殻には、最後の密封仕切り空間をユーザーが摘んで一層容易に分断できるように延伸して設けたツマミ部を備えたことを特徴とするものである。
【００２９】
本発明は、マルチ用途の塗布器であり、毎回使用するとき、選択的にその内の一節を打開して取り出し、使用することが出来る。
前記マルチ用途の塗布器は、液体又は糊状物質を装填した複数個の密封仕切り空間からなる長軸形外殻と、密封仕切り空間の間にそれぞれ形成された刻み線とからなる、前記長軸形外殻は、選択的により短い一節に分断して、外殻から切り離すことが出来る。
前記切り離された一節は、その中に装填した液体又は糊状物質の塗布に使用し、且つ塗布した後捨てることが出来る。
残りの塗布器先端部や液体を含んだ未使用の長軸形外殻は、以後の使用に備えて保留することが出来る。
【００３０】
具体的実例では、密封仕切り空間の一つ一つに密封仕切り空間の中に予め固定された塗布器先端部、例えば、綿球塗布器がパックされ、前記綿球塗布器は、前記刻み線に近いところに配置されている。
前記長軸形外殻の切り離された一節は、その中に装填された液体又は糊状物質の塗布に使用し、且つ塗布した後は捨て去り、残りの塗布器先端部や液体を含んだ未使用の長軸形外殻は、以後の使用に備えて保留することが出来る。
【発明の効果】
【００３１】
本発明に係るマルチ用途の塗布器は従来の技術に比べ、下記のような長所がある。
１．  本発明は、長軸形外殻を幾つかの密閉仕切り空間として仕切り、前記密封仕切り空間の中に異なる又は同じ物質を装填し、又は如何なる物質も装填せず、多様の用途に供することが出来る。
２．  本発明は、使用・携帯の便利さ、操作の簡単さなど幾多の長所がある。
【発明を実施するための最良の形態】
【００３２】
図１は、本発明の実施例である。この実施例において、マルチ用途の塗布器は、長軸形外殻１と、その長さ方向に沿って仕切られた複数個の密封仕切り空間２とからなり、前記仕切り空間２の一つ一つには液体又は糊状の物質を装填し、又は如何なる物質も装填せず、密封仕切り空間の一端面にはそれぞれ刻み線３が形成され、それぞれの刻み線３の所で分断して長軸形外殻１から切り離すことが出来る。
前記長軸形外殻１は、選択的に刻み線３の所でより短い節に分断することが出来る。
【００３３】
好ましい実施例では、前記長軸形外殻１の一端はツマミ部４であってもよく、ユーザーは前記ツマミ部４を持って、最後段の密封仕切り空間２を刻み線３の所で容易に分断することが出来る。
前記密封仕切り空間２は、切り離して使用した後捨て去ってよく、残りの密封仕切り空間及びその内部に装填された液体又は糊状物質は、以後の使用に備えて保留する。
【００３４】
前記長軸形外殻１は、任意の長さであってよく、且つその長さに沿って任意の長さの複数個の密封仕切り空間２を設けてよい。
前記長軸形外殻１は又、直線形又は湾曲形であってもよい。
前記長軸形外殻１が湾曲形である場合は、コンパクトな保存及び輸送を容易にするため、螺旋形に形成してもよい。
【００３５】
図２は、本発明のもう一つの実施例である。
この実施例において、前記マルチ用途の塗布器は、長軸形外殻５と、その長さ方向に沿って仕切られた複数個の密封仕切り空間６とからなり、これらの密封仕切り空間６の中には、一個又は複数個の長軸形構成部品７がパッケージされ、前記長軸形構成部品７の一端は密封仕切り空間６の一端に固定され、且つ密封仕切り空間６の中に液体８が装填されている。
一つ一つの密封仕切り空間６の長軸形構成部品７に近いフリーエンド側の所に刻み線９を形成することによって、密封仕切り空間６を刻み線９の所で分断し、長軸形外殻５から切り離すことが出来る。
【００３６】
長軸形外殻５の直径が小さい寸法に縮減され、液体８がその表面張力の影響で、密封仕切り空間６から確実に流れ出す事が出来ない場合、前記長軸形構成部品７によって毛細管作用を強化し、密封仕切り空間６の中の液体８に表面張力を作用させないことによって、密封仕切り空間６が分断されたとき、前記液体８が確実に密封仕切り空間６から流れ出す。
前記長軸形外殻５は、選択的に刻み線９の所でより短い節に分断して切り離すことが出来る。
前記長軸形外殻５の一端はツマミ部１０であってもよく、ユーザーは前記ツマミ部１０を持って、最後段の密封仕切り空間６を刻み線９の所で容易に分断することが出来る。
【００３７】
前記密封仕切り空間６は、切り離して使用された後捨て去ってよく、長軸形外殻５の上に残った密封仕切り空間及びその内部に装填された液体又は糊状物質は、すべて以後の使用に備えて保留することが出来る。
【００３８】
図３は、本発明の別の実施例である。
この実施例では、前記マルチ用途の塗布器は、その長さに沿って一個又は複数個の密封仕切り空間１２に仕切られた長軸形外殻１１と、前記一個又は複数個の密封仕切り空間１２に装填された液体１３又は糊状物質と、密封仕切り空間１２の末端に一端をそれぞれ固定された長軸形構成部品１４と、前記長軸形構成部品１４のフリーエンド側に固定された塗布器先端部１５と、一つ一つの密封仕切り空間１２の塗布器先端部に近い所に形成された刻み線１６とからなる。
前記密封仕切り空間１２は、刻み線１６の所で分断して長軸形外殻１１から切り離し、ユーザーは塗布器先端部１５によって前記切り離された密封仕切り空間の中の液体１３又は糊状物質を使用することが出来る。
【００３９】
長軸形外殻１１の直径が小さい寸法に縮減され、液体１３がその表面張力の影響で、密封仕切り空間１２から確実に流れ出す事が出来ない場合、前記長軸形構成部品１４によって毛細管作用を強化し、密封仕切り空間１２の中の液体１３の表面張力を作用させないことによって、密封仕切り空間１２が分断されたとき、その内部の前記液体１３が確実に密封仕切り空間１２から塗布器先端部１５の方に流れ出す。
前記長軸形外殻１１は、選択的に刻み線１６の所でより短い節に分断して切り離すことが出来る。
【００４０】
前記長軸形外殻１１の一端はツマミ部１７であってもよく、ユーザーは前記ツマミ部１７を持って、最後段の密封仕切り空間１２を刻み線１６の所で容易に分断することが出来る。
前記密封仕切り空間１２は、切り離して使用された後捨て去ってよく、長軸形外殻１１の残りの密封仕切り空間１２及びその内部に装填された液体１３又は糊状物質は、すべてその他の用途又は以後の使用に備えて保留することが出来る。
【００４１】
以上開示したマルチ用途の塗布器は、多種類の組み合わせ、例えば、長軸形外殻に複数個の乾性・湿性・長軸形構成部品又は塗布器先端部を備えた各種組み合わせの密封仕切り空間であり得る。
前記密封仕切り空間は、その中に同じ内容物又は多種類の内容物の組み合わせを持たせることが出来る。
尚、より長い軸形が必要な場合は、特定の保持器を使って切り離された塗布器を保持することが出来る。
前記保持器は、中空管又はソリッド管であってもよく、この場合その一端に一個又は複数個の穴を備え、切り離した塗布器の一節をその中空側又は穴の一つに保持して軽く支え、塗布を行うことが出来る。
前記保持器は又、前記長軸形外殻から延伸して最後段密封仕切り空間の密封側を超えた中空端部であってもよい。
塗布した後、切り離された塗布器を前記保持器から外して捨ててよい。前記保持器は、次の塗布器の一節を保持するために再利用することが出来る。
【００４２】
上記説明には多くの細部を含むが、本発明の範囲を限定するものではなく、それらは本発明の現段階の幾つかの好ましい実施例の例示的説明であり、従って、本発明の範囲は、特許請求の範囲及びそれらの合理的等量物によるべきで、実施例によって決められるべきではない。
【００４３】
上述の詳細な説明は本発明の実施可能な実施形態の具体的な説明であり、ただしこの実施例は本発明の特許請求範囲を制限するものではなく、凡そ本発明の技術的思想を逸脱せずなされる同等効果の実施又は変更は、全て本発明の特許請求範囲内に含まれるものとする。
【図面の簡単な説明】
【００４４】
【図１】本発明に係るマルチ用途塗布器の第一実施例略図である。
【図２】本発明に係るマルチ用途塗布器の第二実施例略図である。
【図３】本発明に係るマルチ用途塗布器の第三実施例略図である。
【符号の説明】
【００４５】
１  長軸形外殻
２  密封仕切り
３  刻み線
４  ツマミ部
５  長軸形外殻
６  密封仕切り空間
７  長軸形構成部品
８  液体
９  刻み線
１０ツマミ部
１１長軸形外殻
１２密封仕切り
１３液体
１４長軸形構成部品
１５塗布器先端部
１６刻み線
１７ツマミ部
【図１】
2006507942.tif 000003
【図２】
2006507942.tif 000004
【図３】
2006507942.tif 000005
【国際調査報告】
2006507942.tif 000006